(57)【要約】符号化されたデータ信号を供給するための装置は、符号化されたデータ信号を受信するための内部の受信機に関する情報を検出するための検出器と、データ信号を符号化するために使用されるべき符号体系を選択するための選択器とを含む。選択器は、異なる内部の受信機のための入り口を持つデータベースにアクセスするように動作する。入り口は、入り口に関連した受信機に合わせて設計した符号体系の１つ以上の特性をもつ。更に、装置は、選択特性を持つ符号体系または目的地情報を供給するための目的地情報プロバイダを使用してデータ信号を符号化するためのエンコーダを含む。従って、符号化されたデータ信号は、所定の受信機の中の正しい格納番地に保存される。
2010515387.tif 000002
【特許請求の範囲】
【請求項１】
符号化されたデータ信号を供給するための装置（１４、４１）であって、
符号化された前記データ信号を受信するための所定の受信機（１３）に関する情報を検出するための検出器（２５、４７）と、
前記所定の受信機の検出された情報に基づいた前記データ信号を符号化するために使用されるべき符号体系を選択するための選択器（４９）と、
選択された符号体系を使用して前記データ信号を符号化するためのエンコーダと、
を含むことを特徴とする、装置。
【請求項２】
異なる所定の受信機（１３）のための入り口を持つデータベース（２７、５１）をさらに含み、入り口は、入り口に関連した前記受信機（１３）に合わせて設計された１つ以上の符号体系の１つ以上の特性を持ち、
前記選択器（４９）は、前記検出された情報に基づいた前記データベースの入り口にアクセスするように動作すること、
を特徴とする、請求項１に記載の装置。
【請求項３】
前記検出器（２５、４７）は、
携帯のデータキャリア（４５）へのインタフェースと、
所定の受信機（１３）に関する識別情報を検索するために携帯のデータキャリア（４５）を読むための読み取り器と、を含み、
前記携帯のデータキャリア（４５）が早い時期に所定の受信機（１３）の中に挿入されたとき、前記携帯のデータキャリアは、前記識別情報が前記所定の受信機によって携帯のデータキャリア（４５）に書かれる場所に取り付けられ、前記識別情報は前記所定の受信機（１３）に関する情報を構成すること、
を特徴とする、請求項１または請求項２に記載の装置。
【請求項４】
読み取り器（４７）は、前記携帯のデータキャリア（４５）が取り付けられるべき前記受信機に関する識別情報の入り口のために予約された携帯のデータキャリア（４５）の予定された領域（４５ａ）にアクセスするように動作すること、を特徴とする、請求項３に記載の装置。
【請求項５】
前記携帯のデータキャリア（４５）は、メモリカード、ＵＳＢスティック、ＣＤ、ＤＶＤ、もしくはデータを保存するための磁気装置を含むこと、を特徴とする、請求項４に記載の装置。
【請求項６】
前記携帯のデータキャリアへのインタフェースは、ＵＳＢインタフェース、メモリカードインタフェース、もしくはＰＣＩバスインタフェースを含むこと、を特徴とする、請求項３ないし請求項５のいずれかに記載の装置。
【請求項７】
前記データベースの中の異なる所定の受信機のための前記入り口は、デバイスの特性に関する情報、もしくはデバイスのユーザの識別を含むこと、を特徴とする、請求項２に記載の装置。
【請求項８】
所定の受信機（１３）のための前記データベース（２７、５１）の中の入り口に関する情報と、前記入り口に関連した前記所定の受信機（１３）に合わせて設計された１つ以上の特性に関する情報とを受信するように動作するネットワークインタフェースをさらに含み、前記ネットワークインタフェースは、前記情報のためのサーバに接続可能であること、を特徴とする、請求項２ないし請求項７のいずれかに記載の装置。
【請求項９】
前記検出器（２５）は、個人的な電子デバイス（１５）との接続を構築して、接続を構築するとき、個人的な電子デバイスの識別に関する情報を受信するように動作し、
選択器（４９）は、データベースにアクセスして、個人的な電子デバイス（１５）の識別に合わせて設計された１つ以上の特性と共に、符号体系を選択するように動作すること、
を特徴とする、請求項１ないし請求項８のいずれかに記載の装置。
【請求項１０】
前記検出器（２５）は、Ｉ／Ｏインタフェース（２１）を介して前記個人的な電子デバイス（１５）の識別を受信して、前記符号化されたデータを前記Ｉ／Ｏインタフェース（２１）を介して前記個人的な電子デバイス（１５）に転送するように動作すること、を特徴とする、請求項９に記載の装置。
【請求項１１】
前記検出器（２５）は、前記個人的な電子デバイス（１５）との接続を構築するとき、前記個人的な電子デバイス（１５）の識別に関する情報を自動的に受信するように動作すること、を特徴とする、請求項１０に記載の装置。
【請求項１２】
前記検出器（２５）は、前記個人的な電子デバイス（１５）との接続を構築するとき、前記個人的な電子デバイス（１５）の識別に関する情報を要求するように動作すること、を特徴とする、請求項１０に記載の装置。
【請求項１３】
前記Ｉ／Ｏインタフェース（２１）は、ブルートゥースプロトコルを介して接続を構築するように動作すること、を特徴とする、請求項１０ないし請求項１２のいずれかに記載の装置。
【請求項１４】
スケーリング体系の特性が、前記所定の受信機（１３）の表示の解像度に合わせて設計されること、を特徴とする、請求項１ないし請求項１２のいずれかに記載の装置。
【請求項１５】
前記所定の受信機に関する情報は、前記符号化されたデータ信号が格納されるべき前記所定の受信機の仮想的もしくは物理的な格納番地に関する情報を含み、
仮想的または物理的な格納番地に関する目的地情報をＩ／Ｏインタフェース（２３）に供給するための目的地情報プロバイダ（６０）を更に含み、前記符号化されたデータ信号は、前記所定の受信機で受信されたとき、前記所定の受信機に関する情報によって特定された仮想的もしくは物理的な格納番地に格納されること、を特徴とする、請求項１ないし請求項１４のいずれかに記載の装置。
【請求項１６】
符号化されたデータ信号を供給するための方法であって、
前記符号化されたデータ信号を受信するための所定の受信機に関する情報を検出するステップ（Ｓ１１）と、
前記所定の受信機に関する情報に基づいた前記データ信号を符号化するために使用されるべき符号体系を選択するステップ（Ｓ１３）と、
前記選択された符号体系を使用することによって、前記データ信号を符号化するステップ（Ｓ１５）と、
を含むこと、を特徴とする、方法。
【請求項１７】
異なる所定の受信機のための入り口を持つデータベースにアクセスするステップを更に含み、入り口は、前記入り口に関連した受信機に合わせて設計された１つ以上の符号体系の１つ以上の特性を持つこと、を特徴とする、請求項１６に記載の方法。
【請求項１８】
所定の受信機（１３）に関する識別情報を検索するために携帯のデータキャリア（４５）を読むステップを更に含み、前記携帯のデータキャリア（４５）が早い時期に前記所定の受信機（１３）の中に挿入されたとき、前記携帯のデータキャリアは、識別情報が前記所定の受信機によって携帯のデータキャリア（４５）に書かれる場所に取り付けられることになっており、前記識別情報は前記所定の受信機（１３）に関する情報を構成すること、を特徴とする、請求項１６または請求項１７に記載の方法。
【請求項１９】
符号化されたデータ信号を送信および受信するためのシステム（１１）であって、
前記符号化されたデータ信号を送信するための送信機（１４）と、
前記符号化されたデータ信号を受信して、データ信号を復号化するための受信機（１３）と、を含み、
前記送信機（１４）は、
前記符号化されたデータ信号を受信するために所定の受信機（１３）に関する情報を検出するための検出器（２５、４７）と、
前記所定の受信機に関する検出情報に基づいた前記データ信号を符号化するために使用されるべき符号体系を選択するための選択器（４９）と、
選択された符号体系を使用して前記データ信号を符号化するためのエンコーダと、を含むこと、
を特徴とする、システム。
【請求項２０】
符号化されたデータ信号を供給するための装置（１４、４１）であって、
前記符号化されたデータ信号を受信するために所定の受信機（１３）に関する情報を検出するための検出器（２５、４７）と、
前記符号化されたデータ信号を出力するための出力インタフェース（２３）と、
前記所定の受信機の情報に対応して、前記所定の受信機の仮想的または物理的な格納番地に関する目的地情報を前記出力インタフェース（２３）に供給するための目的地情報プロバイダー（６０）と、を含み、
前記符号化されたデータ信号は、前記所定の受信機に受信されたとき、前記所定の受信機に関する情報によって特定された前記仮想的または物理的な格納番地に保存されること、
を特徴とする、装置。
【請求項２１】
符号化されたデータ信号を供給する方法であって、
前記符号化されたデータ信号を受信するために所定の受信機（１３）に関する情報を検出（２５）するステップと、
前記所定の受信機の情報に対応して、前記所定の受信機の仮想的もしくは物理的な格納番地に関する目的地情報を前記所定の受信機に供給（６０）するステップと、を含み、
前記符号化されたデータ信号は、前記所定の受信機に受信されたとき、前記所定の受信機に関する情報によって特定された前記仮想的または物理的な格納番地に保存されること、
を特徴とする、方法。
【請求項２２】
コンピュータプログラムがコンピュータ上で稼働するとき、請求項１６または請求項２１に係る方法を実行するためのプログラム符号を持つことを特徴とするコンピュータプログラム。
【発明の詳細な説明】
【技術分野】
【０００１】
本発明は、符号化されたデータ信号を供給するための装置およびデータ信号を符号化するための方法に関する。
【背景技術】
【０００２】
デジタル音楽を聞いたり、デジタル写真を見たりすることなどの豊かなマルチメディア体験を供給できるさまざまな個人的な電子デバイスが導入されている。ＭＰ３（Ｍｏｔｉｏｎ  Ｐｉｃｔｕｒｅ  Ｅｓｔｉｍａｔｅ  Ｇｒｏｕｐ  Ａｕｄｉｏ  Ｌａｙｅｒ  ３）プレイヤー、移動電話、ｉｐｏｄ、携帯マルチメディアプレイヤー（ＰＭＰｓ）などの従来の多くのデバイスは、現在デジタルマルチメディアを表示することができる。その結果、ユーザは通常、家の中に多数のマルチメディアコンテンツを持ち、メディアセンターのように機能する家庭用ＰＣのコンテンツをモバイル装置に供給するか、またはコピーするために、ハードディスク駆動などのパーソナルコンピュータ（ＰＣ）格納システムに保存する。したがって、ＰＣは通常、ＵＳＢ（ユニバーサル通しバス）、ブルートゥース、通しポート、ＩｒＤＡ（赤外線データアソシエーション)などのような数種類のデータ転送プロトコルを介して、ＰＣからモバイルデバイスへのコピー操作を実行するソフトウェアを備えている。
【発明の概要】
【発明が解決しようとする課題】
【０００３】
しかしながら、技術ソフトウェアパッケージが稼働している状態の装置は、コンテンツを表示するために使用される個人的な電子デバイスの特性を認識できない。したがって、ユーザは、コンテンツが目標装置の上に適切に表示できることを確実に要求する。例えば、ユーザは、解像度のような画像コンテンツのサイズが、画像データのコンテンツを表示するべきモバイルデバイスの能力に合致しなければならないことを確実にしなければならない。ユーザがそうしない場合には、それは、目標デバイスのコンテンツの不適当な再生、またはコンテンツの不十分な映像、または全くの不再生、または目標モバイルデバイスのハードウェアの不良のいずれかをもたらす。さまざまな電子デバイスタイプが増加しているので、それぞれのデバイスタイプまたはデバイスモデルは、復号化の性能、ＣＰＵ（中央演算処理ユニット）またはＤＳＰ（ディジタル信号プロセッサ）の速度、画面サイズ、音声チャンネルの数、表示リフレッシュ伝送速度のような完全に異なった特性を持つことができる。一方、エンドユーザによるこれらの新しいデバイスの購買間隔の時間は減少している。ユーザが自身の個人的な電子デバイス上のマルチメディアコンテンツの最適な再生品質を保証することは、ますます複雑になっている。
【０００４】
それゆえに、本発明の主たる目的は、データ信号の、より効率的な符号化を可能にする、符号化されたデータ信号を供給するための概念を供給することである。
【課題を解決するための手段】
【０００５】
本発明の主たる目的は、請求項１または請求項２０に係る符号化されたデータ信号を供給するための装置、請求項１６に係る符号化されたデータ信号を供給するための方法、請求項２２に係るコンピュータプログラム、または、請求項１９に係る符号化されたデータ信号を送信および受信するためのシステムによって達成される。
【０００６】
本発明は、符号化されたデータ信号を供給するための装置が、所定の受信機に関する情報を検出するための検出器と、異なる所定の受信機のための入り口を持つ、好ましくは既存のデータベースからのデータ信号を符号化するために使用されるべき符号体系の特性を選択するための選択器と、データ信号の、より効率的な符号化を可能にする選択された特性を持つ符号体系を使用してデータ信号を符号化するためのエンコーダと、を含むという発見に基づいている。装置は、符号化されたデータ信号を受信するための受信機の特性に、データ信号を符号化する方法を適合させることができる。あるいはまた、情報は、送信機の完全なデータベースを持たないで、所定の受信機から直接に転送されることができる。
【０００７】
したがって、例えば、符号化されたデータ信号を供給するための装置は、受信機の再生能力に従って、データ信号のビット転送速度を適合させることができる。その結果、受信機は、受信機がプレー（表示）できない、時代遅れのデータを受け取らない。あるいは、符号化されたデータ信号を供給するための装置は、受信機によって要求されたひたむきな品質に符号化する方法を適合させることができる。もしくは、ユーザは、受信機を操作する。本発明の実施形態では、符号化されたデータ信号を供給するための装置は、符号化されたデータ信号を受信するための所定の受信機の情報を受信することができる。この情報は受信機の表示の解像度であることができる。
【０００８】
本発明に係る符号化されたデータ信号を供給するための装置は、この情報を受信することに対応して、異なる所定の受信機のための入り口を持つデータベースにアクセスすることによって、データ信号を符号化するために使用されるべき符号体系を選択できる。入り口は、入り口に関連した受信機に合わせて設計された符号体系の１つ以上の特性を持つ。選択された特性を持つ符号体系を使用することによって、符号化されたデータ信号を供給するための装置は、所定の受信機のタイプに依存する特性に、データ信号を符号化する方法を適合させることができる。そして、したがって、正確な方法で、符号化されたデータ信号の形式を、所定の受信機および所定の受信機の能力に適合させることができる。これは、本発明に係る符号化されたデータ信号を供給するための装置が、例えば信号を符号化する方法を、受信機の解像度に適合させることを可能にする。そして、したがって、符号化されたデータ信号が、受信機によって表示されることができないコンテンツまたは画素に関連したデータまたは情報を少しも含まないことを確実にする。
【０００９】
本発明に係る実施形態では、符号化されたデータ信号を供給するための装置は、デバイスの存在を検出して、デバイスとＰＣシステムとの接続を検出するための手段を含む。本発明に係る装置は、ＩＭＥＩ（国際モバイル装置識別）番号、ＯＢＥＸ（オブジェクト交換プロファイル）プロトコル、ＵＳＢベンダープロトコル、またはモデルＩＤ（識別）を分析することによって、さらにモデルに関するデバイスのタイプを特定するための手段を含む。次に、デバイスタイプを特定するための手段は、能力や個人的な好みのようなデバイスの特性を、デバイスの識別から引き出すことができる。装置または符号化されたデータ信号によって供給されたコンテンツは、例えば、個人的な電子デバイスとＰＣとの間のデータ転送チャンネルの実行に従って、コンテンツまたは符号化されたデータ信号が最適化されるように、適合させることができる。また、同じことは、本発明に係る所定のデータ信号を供給するための方法にも有効である。
【００１０】
上記の個人的な好みは、デバイスタイプの識別が基づいている情報源を含む。情報源は、デバイス能力、データリンク能力および任意の個人的な好みを説明する記録を含む、データベースまたは情報源である。そこでは、記録識別子が、検出されてＰＣシステムに接続されているＰＥＤ（個人的な電子デバイス）に関連している。または、個人的な好みは、上に言及した情報源の中の同じデータを含んでいる情報パケージを含むことができる。データまたは情報は、それらの間のデータ転送チャンネルを越えて検出されてＰＣシステムに接続されたＰＥＤから直接に検索される。
【００１１】
本発明の実施形態に係る符号化されたデータ信号を供給するための装置は、更に、ＰＥＤへの転送のために意図されたマルチメディアコンテンツのようなコンテンツを適合させるための手段、すなわち、情報を検出するための手段、または、受信機のデバイスタイプの識別に合わせて設計した符号体系の１つ以上の特性を選択するための手段によって集めた情報に従っている選択特性を持つ符号体系を使用することによって、データ信号を符号化する方法を適合させるための手段を含む。符号化されたデータ信号を供給するための装置は、デバイスの特性または個人的な好みに基づいた符号体系の１つ以上の特性を選択できる。デバイスの特性は、ＣＰＵ速度、ＰＣ−モバイルデバイス間の転送速度、内部のＩ／Ｏ速度、特に内部のＩ／Ｏベースの最大ビット伝送速度、利用可能な格納スペース、表示解像度、表示アスペクトレシオ、デバイスが表示できる色の数、最適のリフレッシュ伝送速度または最適のフレーム伝送速度、出力音声チャンネルの数、最適の音声標本抽出率、最適な音声ビット深さ、所定のデバイスが復号化する能力を有するサポートされたデジタル保存形式のリストである。
【００１２】
個人的な好みの例は、好ましい言語、コンテンツの品質に向かうユーザの好み、より多くのコンテンツを保存できるように格納スペースに合致したコンテンツの配分、露骨なコンテンツの格納の禁止のような潜在的親コントロール旗、好ましい保存形式、デバイスのユーザが障害であることを示す潜在的障害旗またはその障害のタイプである。
【００１３】
データ信号を符号化する方法、またはコンテンツを適合させる方法は、以下の操作で実行できる。
デジタル音声および画像の解凍および圧縮の手段を採用することによって、デバイスまたは所定の受信機によってサポートされたデジタル音声形式または画像形式に適合した符号変換または形式変換する操作。
デバイスまたは受信機に引き渡されるべきコンテンツのビット伝送速度を変える操作、または、ビット伝送速度を、利用可能なデバイスの格納スペース、または、デバイス格納ユニットとデバイス中央演算処理ユニットの間の最大データ伝送速度、または、利用可能な格納スペースに関するより多いコンテンツか、または、最適コンテンツ品質のどちらかに向かったユーザの好みの種類に適合させることによって、ひたむきなビット伝送速度に達成するように符号体系を適合させる操作。
モバイルデバイスのスクリーンサイズに合致するようにコンテンツの画像解像度を適合させる操作。
リフレッシュ伝送速度のように、モバイルデバイスの最適表示フレーム伝送速度に合致するようにコンテンツ画像フレーム伝送速度を変える操作。
モバイルデバイス音声能力に合致するように、例えば、音声再標本抽出によって音声標本抽出率を変える操作、または、例えばアップミキシングまたはダウンミキシングによって音声チャンネルの数を変える操作。
好ましい言語をモバイルデバイスに反映するために、適切な音声トラックを選択して、それをモバイルデバイスに供給されるべきコンテンツの中に保存する操作。
好ましい言語をモバイルデバイスに反映するために、適切なサブタイトルデータファイルを選択し、そして、それを供給されるべきコンテンツの中に保存するか、または、それを供給し、そして、それを供給されるべきコンテンツと関連づける操作。そこでは、コンテンツはモバイルデバイスに供給されるべきものである。
画像コントラスト、画像の明るさを変更する操作、サブタイトルデータを拡大する操作、モバイルデバイスに供給されるべきコンテンツの部分を増幅または変更する操作。これらの部品は、モバイルデバイスのユーザのために画像と音声を明瞭に改良するために人の対話または人のスピーチを含む。ユーザはどんな障害者でも可能である。
または、親コントロール旗に従ってセットされてない、目標モバイルデバイスに関連したコンテンツの部分を取り除く操作、または音を消す操作、または変更する操作。
【発明の効果】
【００１４】
本発明の実施形態に係る装置は、さまざまなデバイスの特性または個人的な好みを分析できる処理論理を含む。そして、与えられた特性のために最適コンテンツ符号化構成を特定する。最適コンテンツ符号化構成は、符号化パラメータの組み合わせである。もしくは、任意の場合には、目標品質や目標サイズのような評価基準に従って評価された、数個の符号化パラメータセットの中からの選択をユーザに提供する最適解は存在しない。評価基準は、ユーザ自身によって事前に定義されるか、または指定されることができる。
【００１５】
本発明の更なる実施形態に係る符号化されたデータ信号を供給するための装置は、コンテンツデータベースまたはメディアライブラリまたはマルチメディアコンテンツのようなパーソナルコンピュータ上に存在することができるマルチメディアコンテンツプロバイダを含む。マルチメディアコンテンツは、離れたコンテンツサーバ、Ｗｅｂサービスなどのどんな種類の離れた場所にも位置し、選択特性を持つ符号体系を使用することによって、このマルチメディアコンテンツプロバイダからのデータ信号を符号化できる。したがって、マルチメディアコンテンツは、所定の受信機の特性に適合した符号化されたデータ信号を供給するために、効率的な方法で符号化できる。
【００１６】
本発明に係る符号化されたデータ信号を送信および受信するためのシステムは、符号化されたデータ信号を送信するための送信機を含む。送信機は、符号化されたデータ信号を受信するために所定の受信機に関する情報を検出するための検出器と、データ信号を符号化するために使用されるべき符号体系を選択するための選択器とを含む。選択器は、異なる所定の受信機のための入り口を持つデータベースにアクセスするように動作する。入り口は、入り口に関連した受信機に合わせて設計した符号体系の１つ以上の特性を持つ。そして、更にシステムは、選択された特性を持つ符号体系を使用してデータ信号を符号化するためのエンコーダと、符号化されたデータ信号を受信して、データ信号を復号化するための受信機とを含む。
【００１７】
符号化されたデータ信号を送信および受信するためのシステムは、データベースの中で受信機に合わせて設計された符号体系の特性を選択することによって送信機の符号体系を適合させることができ、符号体系に従ってデータ信号を符号化する。符号化されたデータ信号は、符号化されたデータ信号を受信して復号化するために受信機に送信される。従って、システムは、効率的な方法でデータ信号を符号化し、復号化できる。データ信号を符号化するための符号体系は、所定の受信機に関連して選択される。したがって、送信機によって使用される符号体系は、受信機の要件に正しく適合させることができる。送信機と受信機または受信装置との間の送信は、例えばＵＳＢ接続、ブルートゥース接続またはＩｒＤＡ接続を介しての、ＰＣコンピュータとモバイル装置との間のデータ送信と似ることができる。
【００１８】
符号化されたデータ信号を受信するための受信機は、データ伝送プロトコル上の情報パケージを送信する個人的な電子デバイスを含むことができる。情報パケージは、モデルの識別子のようなデバイスタイプ識別子、または任意の数種類の個人保証を含むことができる。または、情報パケージは、デバイスの特性またはデバイスの能力を説明するデータ、データリンク能力、または任意の数種類の個人的な好みを含むことができる。
【００１９】
本発明の好ましい実施例は、添付図面に関して以下においてさらに詳細に説明される。
【図面の簡単な説明】
【００２０】
【図１】本発明に係る符号化されたデータ信号の送信および受信システムを示すブロック図である。
【図２】本発明に係る符号化されたデータ信号を供給するための装置を示すブロック図である。
【図３】本発明に係る符号化されたデータ信号を供給するための方法を示すフローチャート図である。
【図４】本発明に係る符号化されたデータ信号の別の送信および受信システムを示すブロック図である。
【発明を実施するための形態】
【００２１】
図１は、本発明に係る符号化されたデータ信号の送信および受信システムのブロック図である。システム１１は、符号化されたデータ信号を受信するための受信機１３と、符号化されたデータ信号を供給するためのエンコーダ１４とを含む。受信機１３はＰＥＤ１５、デバイスＩＤメモリ１７、および通信インタフェース１９を含む。すべての３つの要素１５、１７、および１９が、受信機１３のハウジング内に置かれて、電気的に互いに接続されている。従って、ＰＥＤ１５がメモリ１７から装置ＩＤを読み出して、それをインタフェース１９を介してリンク２１を超えて、エンコーダ１４のインタフェース２３に転送することができる。ブルートゥースプロトコルのような数種類のデータ伝送プロトコルが、インタフェース１９、２３を介してメッセージを交換するために使用できる。
【００２２】
エンコーダ１４は、リンク２１を超えて受信機１３からのブルートゥースプロトコルメッセージのような、メッセージを受信することによって、ＰＥＤ１５、装置ＩＤメモリ１７およびインタフェース１９を含む受信機１３の存在を検出する。この受信機からエンコーダへのメッセージは、エンコーダ１４と受信機１３の間の通信を構築するために送信される。
【００２３】
通信の構築のときに、ＰＥＤ１５は情報パケージを、インタフェース１９とリンク２１を介して、エンコーダ１４のインタフェース２３に供給する。情報パケージは、インタフェース１９、２３を介しての通信のために使用されている、符号体系またはデータ伝送プロトコルに従って、符号化される。受信機１３からエンコーダ１４に送られた情報パケージは、装置タイプモデルの識別子、個人的な好み、またはユニークな識別子、例えば、しばしばモデルの連続の系列と呼ばれる、装置のＩＭＥＩ番号の一部を含む。
【００２４】
インタフェース２３に接続されたエンコーダ１４の中の検出器２５は、メッセージまたは情報パケージを受信して、情報パケージを評価する。したがって、検出器２５は、エンコーダ１４から符号化データ信号を受信することを意図する受信機１３に関する情報を検出する。情報パケージのコンテンツに基づいて、検出器２５は、異なる所定の受信機のための入り口を持つデータベース２７にアクセスする。入り口は、入り口に関連した受信機に合わせて設計された符号体系の１つ以上の特性を持ち、そして、受信機１３に転送されるためにデータ信号を符号化するために使用されるべき、ひたむきな符号体系を選択する。データベースまたは装置特性の情報源の中で選択された特性は、ＣＰＵ速度、ＰＣとモバイル装置間の通信のデータ転送速度、内部Ｉ／Ｏ速度のような内部Ｉ／Ｏ接続の最大ビット伝送速度、利用可能な格納スペース、表示解像度、表示アスペクトレシオ、色の数、表示できる受信機１３または装置、最適のリフレッシュ／フレーム伝送速度、音声チャンネル出力の数、最適な音声標本抽出率、最適な音声ビット深さまたはサポートしているデジタル保存の形式のリスト、および／または、知られている符号化または復号化されているプロフィールのすべてのような特性である。受信機１３は復号化する能力を有する。
【００２５】
符号化ユニット２９、またはコンテンツ適応装置は、データ信号を符号化するために使用すべき符号体系の情報と共に、検出器２５からの信号を受信する。
【００２６】
エンコーダ１４の中の符号化ユニット２９は、マルチメディアコンテンツのようなデータ信号を、コンテンツプロバイダ３１から受信する。例えば、仮に、ユーザが、ＰＣからＰＥＤ１５にマルチメディアコンテンツをコピーすることを願うならば、コンテンツプロバイダ３１からのデータ信号は符号化され、そして、エンコーダ１４のインタフェース２３を介して符号化されたデータ信号は受信機１３に転送される。コンテンツプロバイダ３１の具体例は、ウェブサーバ、または、例えばコンテンツがＰＥＤ１５にコピーされることになっている個人的なデータキャリアなどのような、ＰＣメディアライブラリ、遠く離れたコンテンツ格納である。したがって、データ信号を符号化する方法は、所定の受信機の情報または識別に適合する。符号体系の適応または変更は、以下の操作によって実行することができる。
【００２７】
デジタル音声および画像の、圧縮および解凍の手段を使うことによって、受信機によってサポートされたデジタル音声／画像形式に符号変換または形式変換を適合させる操作。
利用可能なデバイスの格納スペースを考慮に入れている間、受信機またはデバイスに供給されるべきコンテンツのビット伝送速度、デバイス格納ユニットとデバイス中央演算処理ユニットの間の最大のデータ伝送速度、または、より多くのコンテンツ、または、利用可能な格納スペース、または最適コンテンツ品質に向かう数種類のユーザの好みを変更する操作。
モバイルデバイスのスクリーンサイズに合致するように、コンテンツの画像解像度を適合させる操作。
画像コンテンツのフレーム伝送速度を変えて、フレーム伝送速度が、モバイルデバイスの表示フレーム伝送速度またはリフレッシュ伝送速度に合うようにする操作。
音声標本抽出率を、例えば音声再標本抽出によって変えるか、または、使用の音声チャンネルの数を、例えば上下ミキシングの手段を介して適合させ、音声チャンネルの数がモバイルデバイスの音声能力に合うようにする操作。
好ましい言語がモバイルデバイスに反映するように、適切な音声トラックを選択して、符号化されたデータ信号を介してモバイルデバイスに供給されるべきコンテンツの中に適切な音声トラック上の情報を保存する操作。
供給されるべきコンテンツがモバイルデバイスの好ましい言語に反映するように、適切なサブタイトルデータファイルを選択して連続してサブタイトルデータファイルを、リンク２１を介してモバイルデバイスに供給されるべきコンテンツの中に保存するか、または、コンテンツの中にサブタイトルデータファイルを保存する代わりに、サブタイトルデータファイルを供給してサブタイトルデータファイルを供給されるべきコンテンツに関連づける操作。
以下の特性、すなわち、画像コントラスト、画像の明るさ、サブタイトルデータのサイズに関して符号体系を変更または適合させる操作。または、モバイルデバイスのユーザ、特にモバイル装置の障害があるユーザのために画像と音声を明快に改良するために、モバイルデバイスに供給されるべき人の対話／スピーチ含む部分またはコンテンツを増幅または変更する操作。または、親コントロール旗に従ってセットされていない、そして、目標モバイル装置に関連したデータ信号またはコンテンツの部分を取り除く操作、または音を消す操作。
【００２８】
検出器２５は、さまざまなデバイスの特性および個人的な好みを分析したり、または、例えば数個の符号化パラメータの組み合わせを介して、または任意に、目標品質や目標サイズのような評価基準に従って評定された数個の符号化パラメータセットの中で選択をユーザに供給することによって、与えられた特性のセットのための最適なマルチメディアコンテンツ符号化構成を見付けたりする処理論理能力を備えることができる。評価基準は、ユーザ自身によって事前に定義するか、または指定することができる。
【００２９】
エンコーダ１４の代替の実施形態では、データベース２７のコンテンツと受信機１３に関する情報が、検出器２５から符号化ユニット２９に送信される。従って、符号化ユニット２９は、異なる所定の受信機のための入り口を持つデータベースにアクセスすることによって、データ信号を符号化するために使用されるべき符号体系を選択し、そして、入り口に関連している受信機に合わせて設計した符号体系の１つ以上の特性を選択し、そして、選択された特性で符号体系を使用することによって、データ信号を符号化することができる。
【００３０】
符号化されたデータ信号は、マルチメディアコンテンツの適合またはデータ信号の符号化の後、受信機１３に、より明確には、受信機１３の中のＰＥＤ１５に転送される。したがって、符号化ユニット２９は、最良の符号体系を使用することによって、または、接続されたＰＥＤ１５のための最も速い転送時間のように、データリンク能力に基づいて、データ伝送の最良の方法を選択することによって、データ信号を符号化できる。
【００３１】
本発明の別の実施形態に係るエンコーダ４１は、図２に示されている。エンコーダ４１は、ＰＣ上のファイル、データキャリア、サーバまたはデータ信号を供給する数種類のデバイスのような情報源４３からデータ信号を受信する。携帯のデータキャリア４５は、明示されていないインタフェースを介してエンコーダ４１に接続される。エンコーダ４１と携帯のデータキャリア４５との間の接続が確立された後、エンコーダ４１の中の読み取り器４７は、携帯装置４５のレジスタ端末に保存された所定の受信機の識別を読み出す。この情報は、携帯のデータキャリア４５が所定の受信機の中に挿入された後、早い時期に、レジスタ４５ａの中に書き込まれた。この情報は、所定の受信機の情報を構成する識別を含む。言い換えれば、レジスタ４５ａは、携帯のデータキャリア４５が受信機に挿入された期間中、レジスタに書き込まれた所定の受信機に関する識別情報を保存する。
【００３２】
読み取り器４７は、携帯のデータキャリア４５に書かれたこの識別情報を検索して、この情報を選択器４９に転送する。読み取り器４７からの所定の受信機の識別に関する情報を受信すると、選択器４９は異なる所定の受信機のための入り口を持つデータベース５１にアクセスする。入り口は、携帯のデータキャリア４５上に書かれたデータを復号化するつもりである受信機に合わせて設計した符号体系の１つ以上の特性を持つ。データベース５１にアクセスした後、選択器４９は、選択された特性と共にひたむきな符号体系を読み出し、ひたむきな符号体系に関する情報を、エンコーダ４１の中に置かれた符号化ユニット５３に転送する。上に既述したように、符号化ユニット５３は、情報源４３からデータ信号を受信して、選択された特性を持つひたむきな符号体系を使用することによってデータ信号を符号化して、ひたむきな符号体系に従って符号化されたデータ信号を携帯のデータキャリア４５に転送する。したがって、符号化ユニット５３またはエンコーダ４１は、ひたむきな符号体系に従って符号化されたデータパッケージを、携帯のデータキャリア４５の中に書き込む。
【００３３】
以下、符号化装置によって行われる本発明の実施形態に従ってデータ信号を符号化するための方法が、図３において説明される。ステップＳ１１では、符号化されたデータ信号を受信するための所定の受信機の情報が検出される。例えば、この情報は、受信機の識別、通し番号、表示解像度のような受信機の特性、または受信機のユーザの好みである。
【００３４】
所定の受信機に関する情報を検出すると、データ信号を符号化するために使用されるべき符号体系は、ステップＳ１３で、異なる所定の受信機のための入り口を持つデータベースにアクセスすることによって選択される。各入り口は、入り口に関連した所定の受信機に合わせて設計した符号体系の１つ以上の特性を持つ。したがって、所定の受信機に合わせて設計された符号体系または所定の受信機に捧げられた符号体系が、選択される。さらにステップＳ１５で、受信データ信号は、選択された特性と共に、ひたむきな符号体系を使用することによって符号化される。例えば、この符号化されたデータ信号は、所定の受信機に挿入されるべき外部の受信機、または携帯のデータキャリアに転送できる。コンピュータプログラムがコンピュータ上で稼動するとき、上で説明され、かつ図３に示された方法は、実行のためにプログラム符号の中で実行される。
【００３５】
携帯のデータキャリア４５において、レジスタ４５ａは、携帯のデータが付加されるべき受信機装置に関する識別情報の入り口を保存するために使用される。しかしながら、所定の受信機に関する識別情報を検索するために読み取り器４７によってアクセスされるべき携帯のデータキャリアの数種類の予定された領域は、択一的である。
【００３６】
携帯のデータキャリア４５は、好ましくは、データを保存するために、メモリカード、ＵＳＢスティック、ＣＤ、ＤＶＤまたは磁気装置を含む。しかしながら、データを保存するためのどんな携帯手段も、代替の実施形態である。
【００３７】
エンコーダ４１は、好ましくは、ＵＳＢインタフェース、メモリカードインタフェースまたはＰＣＩバスインタフェースのようなインタフェースを介して、データキャリア４５との通信を確立する。しかしながら、エンコーダ４１とデータキャリア４５との間の通信を確立するための数種類のインタフェースは、代替物である。
【００３８】
データベース２７、５１は、好ましくは、エンコーダ１４、４１の中に保存される。しかしながら、例えば、物理的にエンコーダから切り離された数種類のメディアは、データベース２７、５１の保存のための代替物である。これに加えて、エンコーダ１４、４１は、例えば、遠く離れたサーバに接続されたネットワークインタフェースを持つ。従って、データベース２７、５１の中の入り口は更新できる。所定の受信機のための入り口に関する情報、または入り口に関連した受信機に合わせて設計された１つ以上の特性、または新しい受信機に関する数種類の情報は、ネットワークインタフェースを介して受信することができる。
【００３９】
エンコーダ１４、４１の代替の実施形態では、例えば受信機のユーザの装置の特性、受信機の特性または個人的な好みに関する情報が、符号化ユニット２９、５３の中に直接保存できる。従って、検出器２５または選択器４９は、所定の受信機に関する情報を供給する。そして、符号化ユニット２９、４３は、制御パラメータとして要素３１、４３によって供給されたマルチメディアコンテンツを、符号化、符号変換または適合させるための制御パラメータを選択する。
【００４０】
受信機１３は、好ましくは、受信機１３の識別証明に関連するメッセージを、リンク２１を介してエンコーダ１４に送信する。しかしながら、本発明の代替の実施形態では、受信機は受信機の特性に関連する情報をエンコーダ１４に送信する。この情報は個人的な電子デバイス１５に関するものであることができる。図１に示した本発明に係るシステムの実施形態において、受信機の特性の情報と共に個人的な好みさえ、インタフェース２３を介してＰＥＤから検出器２５に転送することができる。
【００４１】
別の代替の実施形態では、ＰＥＤの中の受信機の特性、例えば、デバイスのユニークな通し番号のようなユニークな識別子と共に保存されるべき個人的な好みは、ＰＥＤの中に保存できる。そして、この情報は、メッセージで、エンコーダ１４に送信できる。エンコーダ１４は、この情報を受信すると、データベースから引き出した１つ以上の特性と共に、ひたむきな符号体系を選択できる。このユニークな識別子またはこのユニークな情報は、デバイスの通し番号を含む完全なＩＭＥＩ番号のような、デバイスのタイプ／モデル識別子である。
【００４２】
図４は、本発明の別の好ましい実施形態を例証する。所定の受信機１５は、格納領域６２と、数個の音声または画像の再生アプリケーションを持つＰＥＤ（個人的な電子デバイス）プロセッサ６４とを含む。これらの音声または画像の再生アプリケーションは、タイプに関して異なることができる。すなわち、１つの再生アプリケーションは、画像を再生するためのものであり、他の再生アプリケーションは、音声を再生するためのものである。択一的に、または、付加的に、これらの再生アプリケーションは、同じタイプを持つ間、それらの特性において異なることができる。したがって、最初の再生アプリケーションは、ＭＰ３音声ファイルを再生することができ、一方、別の音声再生アプリケーションは、ＭＰ４音声ファイルを再生することができ、一方、更なる音声再生アプリケーションは、ＡＣ３ファイルまたはＷＡＶファイルを再生することができる。
【００４３】
その上、所定の受信機の格納６２は組織化されている。従って、異なる再生アプリケーションのために予約される、数個の格納番地６２ａ、６２ｂ、６２ｃ、および６２ｄがある。図４の実施形態では、格納番地６２ａは音声再生アプリケーション１のために予約される。そして、格納番地６２ｂは音声再生アプリケーション２のために予約される。さらに、格納番地６２ｃは画像再生アプリケーション１のために予約される。そして、格納番地６２ｄは画像再生アプリケーション２のために予約される。ＰＥＤプロセッサ６４は、ファイルを再生するとき、ある再生アプリケーションが、ある事前に定義された格納番地にアクセスするように、実装される。格納番地は、アドレスによって物理的または仮想的形式で特定された物理的および／または仮想的格納番地である。その上、また、格納番地は、周知のウィンドウズ（登録商標）エクスプローラなどのファイルマネージャによって作成され、管理できるように、異なるフォルダである。
【００４４】
図４の好ましい実施形態では、目的地情報プロバイダ６０が存在している。目的地情報プロバイダ６０は、検出器２５によって供給された情報に基づいた所定の受信機の選択された格納番地に関する情報を供給する。したがって、ある符号化されたデータファイルは音声再生アプリケーション１のためのものであることが、検出器２５によって検出されたとき、目的地情報プロバイダ６０は、入力／出力インタフェース２３に情報を供給する。入力／出力インタフェース２３は、符号化されたデータ信号が所定の受信機の入力／出力インタフェース１９に達するとき、符号化されたデータ信号が格納番地６２ａに保存されることを確実に行う。目的地情報プロバイダ６０は、所定の受信機に関する情報に対応して、所定の受信機の仮想的または物理的な格納番地に関する目的地情報を出力インタフェース２３に供給するために明確に形成される。その結果、符号化されたデータ信号は、所定の受信機に受信されたとき、所定の受信機に関する情報によって特定された仮想的または物理的な格納番地に保存される。
【００４５】
あるいはまた、検出器２５が、ある符号化されたデータファイルは、音声アプリケーション２によって再生されなければならないことを検出して、次に、目的地情報プロバイダ６０が、入力／出力インタフェース２３に情報を供給するとき、入力／出力インタフェース２３は、符号化されたデータ信号が、他の格納番地よりもむしろ、音声再生アプリケーション２のために意図された格納番地６２ａに保存されることを確実に行う。したがって、個人的な電子デバイスが、ある音声または画像の再生アプリケーションだけを使用するときは、あるフォルダのような、ある格納番地にアクセスしなければならない、そして、常に正しい特性を持つファイルを受信することが確実に行なわれる。
【００４６】
図４の実施形態は、好ましくは、図１、図２、図３の実施形態に結合される。従って、図４の実施形態に加えて更に、送信機は制御可能な符号化ユニット２９、５３を含む。従って、符号化されたデータファイルは、個人的な電子デバイスの格納６２の正しい場所に保存されるだけではなく、正しい符号化形式で符号化される。当然、本文書で説明される他のすべてのアプリケーションのように、符号化ユニットは、完全な符号化ユニット、または、ある符号化されたファイルを、異なる符号化アルゴリズムに従って符号化される、または一般に、異なる符号化された特性で符号化される別の符号化されたファイルに符号変換する符号変換ユニットである。
【００４７】
したがって、本発明によれば、いくつかの個人的な電子デバイスは、同時にインストールされた異なる再生アプリケーションを持つことができる。その結果、符号化は、インストールされる、または、一般に可能である再生アプリケーションに大変依存することができる。したがって、コンテンツがそのような個人的な電子デバイスに転送されるとき、本発明は、目的地情報プロバイダ６０のおかげで、コンテンツが個人的な電子デバイスの格納の正しいフォルダの中に転送されることを確実に行う。その結果、再生アプリケーションは、再生アプリケーションのために自動的な方法で正しい場所に合わせて設計したコンテンツを見つけることができる。
【００４８】
その上、目的地情報はデータベース２７に由来することができる、と強調されることになる。この実施形態では、目的地情報が、所定の受信機のための、特に所定の受信機アプリケーションのためのデータベースの入り口に供給される。択一的に、または付加的に、目的地情報は、完全なデータベースを持たないで、所定の受信機によって直接に供給される。再び、択一的に、データベースの入り口は、目的地情報を含まないが、他の符号化特性を含む。したがって、符号化ユニット２９は、データベースの入り口情報によって制御されるように、ユニット２９によって制御される。一方、目的地情報プロバイダ６０は、所定の受信機からの直接転送を介して制御される。
【００４９】
本発明の方法の、特定の実現要求に依存して、本発明の方法は、ハードウェアまたはソフトウェアの中で実現できる。実現は、その上に保存された電子的に読み込み可能な制御信号を持つデジタル格納媒体、特にディスク、ＤＶＤまたはＣＤを使用することで実行できる。デジタル格納媒体は、本発明の方法が実行されるように、プログラマブルコンピュータシステムと協力する。したがって、一般に、本発明は、マシンの読み込み可能なキャリア上に保存されたプログラム符号を持つコンピュータプログラム製品である。プログラム符号は、コンピュータプログラム製品がコンピュータ上で稼働するとき、本発明の方法を実行するために動作する。 言い換えれば、したがって、本発明の方法は、コンピュータプログラムがコンピュータ上で稼働するとき、本発明の方法の少なくとも１つを実行するためのプログラム符号を持つコンピュータプログラムである。
【００５０】
前述の内容が特にその特定の実施例に関して開示されると共に記載される一方、形態および詳細のさまざまな他の変化が、その趣旨および範囲から逸脱することなくなされることが、当業者には分かる。さまざまな変化が本願明細書において開示された上位概念から逸脱することなく、異なる実施例に適応され、以下の請求項によって理解されることが分かる。
【図１】
2010515387.tif 000003
【図２】
2010515387.tif 000004
【図３】
2010515387.tif 000005
【図４】
2010515387.tif 000006
【国際調査報告】
2010515387.tif 000007
2010515387.tif 000008
2010515387.tif 000009